(57)【要約】【課題】携帯可能な電子機器において、電子機器の携帯時に、電子機器に接続された接続ケーブルを、電子機器の筐体に一体的に固定するとともに、電子機器の利用時に、接続ケーブルの実質的な長さを、比較的容易に変更可能にする。【解決手段】ポータブルハードディスク１００は、筐体１１０と、接続ケーブル１２０とを備えている。筐体１１０の側面に、接続ケーブル１２０のケーブル部１２１を巻き付けるためのガイド溝１１２を設け、このガイド溝１１２の内側壁に、ケーブル部１２１の一部を挟み込んで固定するための突起部１１２ａ，１１２ｂ（ケーブル固定部）を設ける。また、筐体１１０の側面に、接続ケーブル１２０のＰＣ側コネクタ１２４を固定するためのＰＣ側コネクタ固定部１１３を設ける。【選択図】図５
2009021452.tif 000002
【特許請求の範囲】
【請求項１】
携帯可能な電子機器であって、
筐体と、
前記電子機器に接続され、該電子機器と他の電子機器とを接続するための接続ケーブルと、を備え、
前記筐体は、該筐体の表面に、前記接続ケーブルの両端部を除く少なくとも一部を着脱可能に固定するためのケーブル固定部を備える、
電子機器。
【請求項２】
請求項１記載の電子機器であって、
前記接続ケーブルの前記他の電子機器と接続される側の端部には、前記接続ケーブルを前記他の電子機器に接続するためのコネクタが接続されており、
前記コネクタの側面、および、前記筐体の表面には、前記コネクタを前記筐体に着脱可能に固定するためのコネクタ固定部がそれぞれ設けられている、
電子機器。
【請求項３】
請求項２記載の電子機器であって、
前記コネクタ固定部として、前記コネクタの側面、および、前記筐体の表面には、前記コネクタと前記筐体とを互いに嵌合固定するため嵌合凸部、および、該嵌合凸部に対応する嵌合凹部がそれぞれ設けられており、
前記コネクタは、前記嵌合凸部と、前記嵌合凹部とを互いに嵌合することによって、前記筐体に着脱可能に固定される、
電子機器。
【請求項４】
請求項３記載の電子機器であって、
前記嵌合凸部は、前記コネクタの側面に設けられており、
前記嵌合凹部は、前記筐体の表面に設けられており、
前記嵌合凸部は、鉤形の形状を有する鉤部を備えており、
前記嵌合凹部は、前記嵌合凸部を挿入するための挿入部と、前記鉤部と係合するための係合部と、を備えており、
前記コネクタは、前記嵌合凸部が前記挿入部に挿入され、前記嵌合凹部が設けられた前記筐体の表面に沿った方向にスライドされ、前記鉤部と前記係合部とが互いに係合することによって、前記筐体に着脱可能に固定される、
電子機器。
【請求項５】
請求項１ないし４のいずれかに記載の電子機器であって、
前記筐体は、該筐体の表面に、さらに、前記接続ケーブルを巻き付けるためのガイド溝を備える、
電子機器。
【請求項６】
請求項５記載の電子機器であって、
前記ケーブル固定部として、前記ガイド溝の内側壁に、前記ガイド溝の内側方向に突起した突起部を備え、
前記接続ケーブルは、前記突起部によって挟み込まれることによって、前記筐体に着脱可能に固定される、
電子機器。
【請求項７】
請求項１ないし６のいずれかに記載の電子機器であって、
前記筐体は、略直方体の外形形状を有しており、
前記ケーブル固定部は、前記筐体の側面における角部に設けられている、
電子機器。
【請求項８】
携帯可能な電子機器であって、
筐体を備え、
前記筐体は、該筐体の表面に、前記電子機器と他の電子機器とを接続するための接続ケーブルの両端部を除く少なくとも一部を着脱可能に固定するためのケーブル固定部を備える、
電子機器。
【発明の詳細な説明】
【技術分野】
【０００１】
本発明は、携帯可能な電子機器に関するものである。
【背景技術】
【０００２】
従来、いわゆるポータブルハードディスクドライブ（以下、単にポータブルハードディスクと呼ぶ）等の携帯可能な電子機器が普及している。このような電子機器は、この電子機器とパーソナルコンピュータ等の他の電子機器とを、例えば、ＵＳＢ（Universal Serial Bus）ケーブル等の接続ケーブルを介して接続されて利用される。そして、利用者がこの携帯可能な電子機器を持ち運ぶ際には、電子機器本体と適当に束ねた接続ケーブルとを別々に持ち運んだり、電子機器本体に接続ケーブルを適当に巻き付けて持ち運んだりすることが多い。
【０００３】
ところで、電子機器同士を接続するための接続ケーブルをスマートに収納する技術が提案されている。例えば、下記特許文献１には、卓上用の情報処理装置と手動操作部（例えば、キーボード）とを接続するケーブルを収納するケーブル収納装置に関する技術が記載されている。このケーブル収納装置は、パーソナルコンピュータ等の情報処理装置本体を載置して使用する平板状のケーブル収納体からなり、このケーブル収納体は、ケーブルの一端側を収納する一方の開口部と他端側を収納する他方の開口部を備え、一方の開口部と他方の開口部との間を、湾曲したケーブル収納溝で連結することによって構成されている。そして、このようなケーブル収納装置を、携帯可能な電子機器に接続されるケーブルの収納用に利用することも可能ではある。
【０００４】
【特許文献１】特許第３００１００３号明細書
【発明の開示】
【発明が解決しようとする課題】
【０００５】
しかし、上記特許文献１に記載されたケーブル収納装置を携帯可能な電子機器に接続されるケーブルの収納用に利用する場合、電子機器の携帯時に、電子機器本体とケーブルを収納したケーブル収納装置とを別々に携帯しなければならないという煩わしさが生じる。
【０００６】
本発明は、上述の課題を解決するためになされたものであり、携帯可能な電子機器において、電子機器の携帯時に、電子機器に接続された接続ケーブルを、電子機器の筐体に一体的に固定するとともに、電子機器の利用時に、接続ケーブルの実質的な長さを、比較的容易に変更可能にすることを目的とする。
【課題を解決するための手段】
【０００７】
本発明は、上述の課題の少なくとも一部を解決するために以下の形態又は適用例として実現することが可能である。
【０００８】
［適用例１］携帯可能な電子機器であって、筐体と、前記電子機器に接続され、該電子機器と他の電子機器とを接続するための接続ケーブルと、を備え、前記筐体は、該筐体の表面に、前記接続ケーブルの両端部を除く少なくとも一部を着脱可能に固定するためのケーブル固定部を備える、電子機器。
【０００９】
本適用例では、電子機器の筐体の表面に、上記ケーブル固定部を備えるので、電子機器の携帯時に、電子機器に接続された接続ケーブルを、電子機器の筐体に一体的に固定するとともに、電子機器の利用時に、ケーブル固定部によって接続ケーブルを固定したまま利用するか否かを切り換えることによって、接続ケーブルの実質的な長さを、比較的容易に変更することができる。ここで、接続ケーブルの実質的な長さとは、接続ケーブルの、電子機器に接続された部位、または、ケーブル固定部によって固定された部位から他の電子機器と接続される側の端部までの長さを意味している。
【００１０】
なお、本適用例の電子機器において、上記ケーブル固定部は、複数備えられているようにすることが好ましい。こうすることによって、電子機器の利用時の接続ケーブルの実質的な長さを、多段に変更することができる。また、上記ケーブル固定部は、接続ケーブルの両端部を除く全体を着脱可能に固定可能としてもよい。こうすることによって、電子機器の利用時の接続ケーブルの実質的な長さを、連続的に変更することができる。
【００１１】
［適用例２］適用例１記載の電子機器であって、前記接続ケーブルの前記他の電子機器と接続される側の端部には、前記接続ケーブルを前記他の電子機器に接続するためのコネクタが接続されており、前記コネクタの側面、および、前記筐体の表面には、前記コネクタを前記筐体に着脱可能に固定するためのコネクタ固定部がそれぞれ設けられている、電子機器。
【００１２】
一般に、接続ケーブルの端部には、接続ケーブルを情報処理装置等の他の電子機器に接続するためのコネクタが接続されており、電子機器の携帯時に、接続ケーブルの一部を上述したケーブル固定部によって固定しても、このコネクタが電子機器の筐体に固定されていない状態では、美観を損ねたり、コネクタが他の物に衝突して携帯性を損ねたりする場合がある。
【００１３】
本適用例では、上記コネクタ固定部によって、電子機器の筐体の表面に、接続ケーブルの端部に接続されたコネクタを着脱可能に固定することができるので、電子機器の携帯時に、電子機器の筐体の表面に接続ケーブル（上記コネクタを含む）を固定したときの美観や携帯性を向上させることができる。
【００１４】
なお、本適用例の電子機器において、電子機器の筐体の表面に、さらに、コネクタの少なくとも一部を嵌合可能な凹部を設けるようにしてもよい。こうすることによって、電子機器の筐体の表面からコネクタが突出しないようにすることができるので、電子機器の筐体の表面に接続ケーブル（上記コネクタを含む）を固定したときの美観や携帯性をさらに向上させることができる。
【００１５】
［適用例３］適用例２記載の電子機器であって、前記コネクタ固定部として、前記コネクタの側面、および、前記筐体の表面には、前記コネクタと前記筐体とを互いに嵌合固定するため嵌合凸部、および、該嵌合凸部に対応する嵌合凹部がそれぞれ設けられており、前記コネクタは、前記嵌合凸部と、前記嵌合凹部とを互いに嵌合することによって、前記筐体に着脱可能に固定される、電子機器。
【００１６】
本適用例では、コネクタと電子機器の筐体とを、嵌合凸部、および、嵌合凹部によって、互いに嵌合固定することができるので、電子機器の筐体の表面にコネクタを確実に固定することができる。
【００１７】
［適用例４］適用例３記載の電子機器であって、前記嵌合凸部は、前記コネクタの側面に設けられており、前記嵌合凹部は、前記筐体の表面に設けられており、前記嵌合凸部は、鉤形の形状を有する鉤部を備えており、前記嵌合凹部は、前記嵌合凸部を挿入するための挿入部と、前記鉤部と係合するための係合部と、を備えており、前記コネクタは、前記嵌合凸部が前記挿入部に挿入され、前記嵌合凹部が設けられた前記筐体の表面に沿った方向にスライドされ、前記鉤部と前記係合部とが互いに係合することによって、前記筐体に着脱可能に固定される、電子機器。
【００１８】
本適用例では、上記鉤部と上記係合部とを互いに係合することができるので、電子機器の筐体の表面にコネクタをより強固に固定することができる。
【００１９】
［請求項５］適用例１ないし４のいずれかに記載の電子機器であって、前記筐体は、該筐体の表面に、さらに、前記接続ケーブルを巻き付けるためのガイド溝を備える、電子機器。
【００２０】
本適用例では、電子機器の筐体の表面に上記ガイド溝を備えているので、このガイド溝に接続ケーブルを沿わせて、接続ケーブルをコンパクトに収納することができる。なお、ガイド溝の深さは、任意に設定可能である。例えば、接続ケーブルの太さの２分の１以上にすれば、接続ケーブルが電子機器の筐体からずれにくくすることができる。
【００２１】
［適用例６］適用例５記載の電子機器であって、前記ケーブル固定部として、前記ガイド溝の内側壁に、前記ガイド溝の内側方向に突起した突起部を備え、前記接続ケーブルは、前記突起部によって挟み込まれることによって、前記筐体に着脱可能に固定される、電子機器。
【００２２】
本適用例では、上記ガイド溝の内側壁に、上記ケーブル固定部として、上記突起部を備えるので、接続ケーブルをガイド溝内に固定することができる。なお、接続ケーブルの表面は、弾性を有する樹脂やゴムによって被覆されている場合が多く、これらは弾性変形する。したがって、本適用例では、利用者は、接続ケーブルのケーブル固定部への装着（固定）、および、ケーブル固定部からの取り外しを容易に行うことができる。
【００２３】
なお、上記突起部は、ガイド溝の一方の内側面に備えられるようにしてもよいし、両側の内側面に備えられるようにしてもよい。また、上記突起部は、電子機器の筐体と同じ材質の部材であってもよいし、別部材（例えば、ゴム等の弾性部材）であってもよい。上記突起部をゴム等の弾性部材によって構成すれば、上記突起部が弾性変形するので、利用者は、接続ケーブルの着脱を、より容易に行うことができる。
【００２４】
［適用例７］適用例１ないし６のいずれかに記載の電子機器であって、前記筐体は、略直方体の外形形状を有しており、前記ケーブル固定部は、前記筐体の側面における角部に設けられている、電子機器。
【００２５】
電子機器の筐体が略直方体の外形形状を有している場合、接続ケーブルを沿わせる筐体表面上の辺の長さよりも長い接続ケーブルを筐体の側面に固定するときに、接続ケーブルは、筐体の角部で折り曲げられることになる。しかし、接続ケーブルは、ある程度の太さを有しており、接続ケーブルを筐体の角部に合わせてほぼ直角に折り曲げることは困難なため、筐体の角部において、接続ケーブルが筐体から浮き上がり、横ずれしやすくなる。
【００２６】
本適用例では、上述したケーブル固定部が、電子機器の筐体の側面における角部に設けられているので、この角部における接続ケーブルの横ずれを抑制することができる。
【００２７】
［適用例８］携帯可能な電子機器であって、筐体を備え、前記筐体は、該表体の表面に、前記電子機器と他の電子機器とを接続するための接続ケーブルの両端部を除く長さ方向の少なくとも一部を着脱可能に固定するためのケーブル固定部を備える、電子機器。
【００２８】
本適用例は、先に説明した適用例１の電子機器において、接続ケーブルが筐体と別体となっている構成である。本適用例によっても、適用例１の電子機器と同様に、電子機器の携帯時に、本適用例に対応する接続ケーブルを、電子機器の筐体に一体的に固定するとともに、電子機器の利用時に、ケーブル固定部によって接続ケーブルを固定したまま利用するか否かを切り換えることによって、接続ケーブルの実質的な長さを、比較的容易に変更することができる。
【００２９】
なお、適用例８においても、先に適用例１について示した種々の付加的要素を適用することが可能である。
【発明を実施するための最良の形態】
【００３０】
以下、本発明の実施の形態について、実施例に基づき以下の順序で説明する。
Ａ．実施例：
Ａ１．ポータブルハードディスクの構成：
Ａ２．接続ケーブルの構成：
Ａ３．ＰＣ側コネクタ固定部：
Ａ４．ＰＣ側コネクタの筐体への固定方法：
Ａ５．ポータブルハードディスクの携帯時、および、利用時の接続ケーブルの状態：
Ｂ．比較例：
Ｃ．実施例の効果：
Ｃ１．携帯時の利便性等：
Ｃ２．利用時の利便性：
Ｄ．変形例：
【００３１】
Ａ．実施例：
Ａ１．ポータブルハードディスクの構成：
図１は、本発明の電子機器を適用した一実施例としてのポータブルハードディスク１００の概略構成を示す説明図である。このポータブルハードディスク１００は、後述する接続ケーブルを介して、パーソナルコンピュータ（以下、単にＰＣとも呼ぶ）に接続されて利用される（図示省略）。図１（ａ）に、ポータブルハードディスク１００の正面図と、右側面図と、左側面図と、下方側面図とを示した。また、図１（ｂ）に、図１（ａ）におけるＡ−Ａ断面図を示した。なお、本実施例において、ポータブルハードディスク１００の内部構成については、本願発明の内容とは無関係であるので、図示、および、説明は省略する。
【００３２】
図示するように、ポータブルハードディスク１００の筐体１１０は、略直方体の外形形状を有している。そして、この筐体１１０の右側面には、後述する接続ケーブルの一方の端部に接続された本体側コネクタを差し込むための差込口１１１が設けられている。また、筐体１１０の左側面には、接続ケーブルの他方の端部に接続されたＰＣ側コネクタを嵌合固定するためのＰＣ側コネクタ固定部１１３が設けられている。このＰＣ側コネクタ固定部１１３は、係合部１１３ｅを有する嵌合凹部１１３ｃを備えている。ＰＣ側コネクタ固定部１１３の詳細な構造、および、ＰＣ側コネクタの筐体１１０への固定方法については、後から詳述する。
【００３３】
筐体１１０の右側面と、下方側面と、左側面には、接続ケーブル（後述するケーブル部）を巻き付けるためのガイド溝１１２が連続して設けられている。そして、図１（ｂ）に示したように、筐体１１０の側面の右下角部、および、左下角部のガイド溝１１２は、ガイド溝１１２に沿って接続ケーブルを巻き付け易くするために、円弧形の断面形状を有するように形成されている。また、筐体１１０の側面の右下角部、および、左下角部のガイド溝１１２の両側の内側壁には、ガイド溝１１２の内側方向に突起し、接続ケーブル（後述するケーブル部）を挟み込んで、着脱可能に固定するための突起部１１２ａ，１１２ｂがそれぞれ設けられている。突起部１１２ａ、および、突起部１１２ｂは、本発明におけるケーブル固定部に相当する。
【００３４】
なお、ガイド溝１１２の幅や深さ、および、突起部１１２ａ，１１２ｂの高さは、接続ケーブルのサイズ（太さ）に応じて任意に設定可能である。例えば、ガイド溝１１２の深さを、接続ケーブルの太さの２分の１以上にすれば、接続ケーブルがポータブルハードディスク１００の筐体１１０からずれにくくすることができる。
【００３５】
また、本実施例では、筐体１１０、および、突起部１１２ａ，１１２ｂは、樹脂によって一体的に形成されているものとしたが、筐体１１０と、突起部１１２ａ，１１２ｂとを、別部材としてもよい。例えば、筐体１１０を樹脂によって形成し、突起部１１２ａ，１１２ｂをゴムによって形成するものとしてもよい。こうすることによって、突起部１１２ａ，１１２ｂは、弾性変形するので、利用者は、接続ケーブルの着脱を、より容易に行うことができる。
【００３６】
Ａ２．接続ケーブルの構成：
図２は、接続ケーブル１２０の概略構成を示す説明図である。本実施例では、接続ケーブル１２０として、ＵＳＢケーブルを用いるものとした。接続ケーブル１２０として、他の規格に従った接続ケーブルを用いるようにしてもよい。図２（ａ）に、接続ケーブル１２０の長さ方向に対して垂直方向から見たときの外観形状を示した。また、図２（ｂ）に、図２（ａ）に示した接続ケーブル１２０を下方から見たときの外観形状を示した。
【００３７】
図示するように、接続ケーブル１２０は、ケーブル部１２１と、ケーブル部１２１の一方の端部に接続され、筐体１１０に設けられた差込口１１１に差し込まれる本体側コネクタ１２２と、ケーブル部１２１の他方の端部に接続され、パーソナルコンピュータに接続されるＰＣ側コネクタ１２４とからなる。ケーブル部１２１の表面には、ケーブル部１２１を変形させたときの信号線の損傷を抑制するため、弾性を有する樹脂、あるいは、ゴムの被覆が施されている。図２（ｃ），（ｄ）に、本体側コネクタ１２２、および、ＰＣ側コネクタ１２４の斜視図をそれぞれ示した。
【００３８】
図２（ａ），（ｂ），（ｄ）に示したように、ＰＣ側コネクタ１２４の側面には、筐体１１０に設けられたＰＣ側コネクタ固定部１１３の嵌合凹部１１３ｃに嵌合される２つの嵌合凸部１２４ｄが設けられている。そして、これらは鉤形の形状を有する鉤部１２４ｄｈを備えている。ＰＣ側コネクタ固定部１１３、および、嵌合凸部１２４ｄは、本発明におけるコネクタ固定部に相当する。なお、ＰＣ側コネクタ固定部１１３において、係合部１１３ｅが形成されていない部位は、本発明における挿入部に相当する。
【００３９】
そして、図２（ｄ）に示したように、２つの嵌合凸部１２４ｄの間隔は、ｄｃ１である。また、嵌合凸部１２４ｄの厚さは、ｄｃ２である。また、図２（ｂ）に示したように、一方の鉤部１２４ｄｈの端部から他方の鉤部１２４ｄｈの端部までの幅は、ｄｃ３である。また、図２（ａ）に示したように、嵌合凸部１２４ｄの高さは、ｄｃ４であり、鉤部１２４ｄｈの厚さは、ｄｃ５である。本実施例では、嵌合凸部１２４ｄの厚さｄｃ２と、鉤部１２４ｄｈの厚さｄｃ５とは等しいものとした。また、各嵌合凸部１２４ｄの幅は、先述したＰＣ側コネクタ固定部１１３の嵌合凹部１１３ｃに嵌合可能な範囲内で、任意に設定可能である。
【００４０】
Ａ３．ＰＣ側コネクタ固定部：
図３は、筐体１１０に設けられたＰＣ側コネクタ固定部１１３の概略構成を示す説明図である。図３（ａ），（ｂ）に、図１（ａ）におけるＢ−Ｂ断面図、および、Ｃ−Ｃ断面図をそれぞれ示した。
【００４１】
図３（ａ）に示したように、嵌合凹部１１３ｃの幅は、ｄ３であり、本実施例では、先に図２（ｂ）に示したｄｃ３とほぼ等しいものとした。また、嵌合凹部１１３ｃの中央に設けられた凸部の幅は、ｄ１であり、本実施例では、先に図２（ｄ）に示したｄｃ１とほぼ等しいものとした。なお、本実施例では、この凸部は、図１に示したガイド溝１１２と連続しており、凸部の幅ｄ１は、図１から分かるように、ガイド溝１１２の幅と等しい。また、嵌合凹部１１３ｃの深さは、ｄ４であり、本実施例では、先に図２（ａ）に示したｄｃ４とほぼ等しいものとした。
【００４２】
また、図３（ｂ）に示したように、嵌合凹部１１３ｃの中央に設けられた凸部と係合部１１３ｅとの間隔は、それぞれｄ２であり、本実施例では、先に図２（ｄ）に示したｄｃ２とほぼ等しいものとした。また、嵌合凹部１１３ｃの底面と係合部１１３ｅとの間隔は、ｄ５であり、本実施例では、先に図２（ａ）に示したｄｃ５とほぼ等しいものとした。
【００４３】
なお、ＰＣ側コネクタ固定部１１３において、各係合部１１３ｅには、図１（ａ）に示したように、それぞれ傾斜が設けられている。こうすることによって、後述するように、ＰＣ側コネクタ１２４をＰＣ側コネクタ固定部１１３に固定するときに、ＰＣ側コネクタ１２４を筐体１１０の表面（嵌合凹部１１３ｃの底面）に沿ってスライドさせやすくすることができる。
【００４４】
ＰＣ側コネクタ固定部１１３を上述した構造とすることによって、ＰＣ側コネクタ１２４をポータブルハードディスク１００の筐体１１０に容易に、かつ、確実に固定することができる。以下、ＰＣ側コネクタ１２４の筐体１１０への固定方法について説明する。
【００４５】
Ａ４．ＰＣ側コネクタの筐体への固定方法：
図４は、ＰＣ側コネクタ１２４の筐体１１０（ＰＣ側コネクタ固定部１１３）への固定方法を示す説明図である。まず、図４（ａ）に示したように、ＰＣ側コネクタ１２４に設けられた嵌合凸部１２４ｄを、ポータブルハードディスク１００の筐体１１０に設けられた嵌合凹部１１３ｃの係合部１１３ｅが形成されていない領域（挿入部）に挿入する。そして、図４（ｂ）に示したように、ＰＣ側コネクタ１２４を、筐体１１０の表面に沿った方向（図中に矢印で示した右方向）にスライドさせる。こうすることによって、図４（ｃ）に示したように、嵌合凹部１１３ｃの底面と係合部１１３ｅとの間に、嵌合凸部１２４ｄの鉤部１２４ｄｈが係合し、ＰＣ側コネクタ１２４をポータブルハードディスク１００の筐体１１０に固定することができる。
【００４６】
なお、図４（ｃ）に示した状態から、ＰＣ側コネクタ１２４を図の左側にスライドさせることによって、嵌合凸部１２４ｄの鉤部１２４ｄｈは、嵌合凹部１１３ｃの底面と係合部１１３ｅとの間に係合された状態から解放され、筐体１１０からＰＣ側コネクタ１２４を容易に取り外すことができる。
【００４７】
Ａ５．ポータブルハードディスクの携帯時、および、利用時の接続ケーブルの状態：
図５は、ポータブルハードディスク１００の携帯時の接続ケーブル１２０の状態を示す説明図である。ポータブルハードディスク１００の正面図と、右側面図と、左側面図と、下方側面図とを示した。
【００４８】
図示するように、接続ケーブル１２０の本体側コネクタ１２２は、ポータブルハードディスク１００の筐体１１０の右側面に設けられた差込口１１１に差し込まれ、接続ケーブル１２０のケーブル部１２１は、筐体１１０の右側面、下方側面、左側面に設けられたガイド溝１１２に沿って巻き付けられるとともに、ガイド溝１１２の内側面に設けられた突起部１１２ａ，１１２ｂによって挟み込まれて着脱可能に固定され、接続ケーブル１２０のＰＣ側コネクタ１２４は、筐体１１０の左側面に設けられたＰＣ側コネクタ固定部１１３によって固定される。
【００４９】
つまり、本実施例のポータブルハードディスク１００によれば、ポータブルハードディスク１００の携帯時に、接続ケーブル１２０を筐体１１０に一体的に固定することができる。なお、先に説明したように、ケーブル部１２１の表面には、弾性を有する樹脂、あるいは、ゴムの被覆が施されており、この被覆は弾性変形するため、ケーブル部１２１の、ガイド溝１１２の内側面に設けられた突起部１１２ａ，１１２ｂの間への装着（固定）、および、突起部１１２ａ，１１２ｂの間からの取り外しを容易に行うことができる。
【００５０】
図６は、ポータブルハードディスク１００の利用時の接続ケーブル１２０の状態を示す説明図である。図６（ａ）に、接続ケーブル１２０のＰＣ側コネクタ１２４がＰＣ側コネクタ固定部１１３から取り外され、筐体１１０の左下角部（図中に破線の丸印で示したＡ部）、および、右下角部（図中に破線の丸印で示したＢ部）でケーブル部１２１が固定されている場合の状態を示した。この場合、接続ケーブル１２０の実質的な長さは、Ａ部からＰＣ側コネクタ１２４までの長さとなる。
【００５１】
また、図６（ｂ）に、筐体１１０のＢ部でケーブル部１２１が固定されている場合の状態を示した。この場合、接続ケーブル１２０の実質的な長さは、Ｂ部からＰＣ側コネクタ１２４までの長さとなる。
【００５２】
また、図６（ｃ）に、筐体１１０のＡ部、および、Ｂ部でケーブル部１２１が固定されていない場合の状態を示した。この場合、接続ケーブル１２０の実質的な長さは、本体側コネクタ１２２からＰＣ側コネクタ１２４までの長さとなる。
【００５３】
つまり、本実施例のポータブルハードディスク１００によれば、ポータブルハードディスク１００の利用時に、接続ケーブル１２０のケーブル部１２１の固定箇所を変更することによって、接続ケーブル１２０の実質的な長さを３段階に変更することができる。
【００５４】
Ｂ．比較例：
図７は、比較例としてのポータブルハードディスク１００Ｒの概略外観を示す説明図である。図７（ａ）に、ポータブルハードディスク１００Ｒの利用時の正面図、および、下方側面図を示した。また、図７（ｂ）に、ポータブルハードディスク１００Ｒの携帯時、すなわち、接続ケーブル１２０Ｒをポータブルハードディスク１００Ｒの筐体１１０Ｒに固定したときの正面図を示した。
【００５５】
この比較例のポータブルハードディスク１００Ｒでは、筐体１１０Ｒの上方側面に、接続ケーブル１２０Ｒの一方の端部に接続された本体側コネクタ１２２Ｒを差し込むための差込口が設けられている（図示省略）。また、筐体１１０Ｒの上方側面、右側面、下方側面、左側面には、接続ケーブル１２０Ｒのケーブル部１２１Ｒを巻き付けるためのガイド溝１１２Ｒが設けられている（一部、図示省略）。また、接続ケーブル１２０Ｒの本体側コネクタ１２２には、接続ケーブル１２０Ｒのケーブル部１２１Ｒの一部を嵌合して固定するためのフック部１２２ｆが設けられている。
【００５６】
なお、比較例のポータブルハードディスク１００Ｒでは、筐体１１０Ｒの側面に設けられたガイド溝１１２Ｒには、先に説明した実施例のポータブルハードディスク１００におけるガイド溝１１２のように、突起部１１２ａや、突起部１１２ｂが設けられていない。また、筐体１１０Ｒには、接続ケーブル１２０Ｒの端部に接続されたＰＣ側コネクタ１２４Ｒを固定するためのＰＣ側コネクタ固定部１１３も設けられていない。
【００５７】
図７（ｂ）に示したように、ポータブルハードディスク１００Ｒの携帯時には、接続ケーブル１２０Ｒの本体側コネクタ１２２Ｒは、筐体１１０Ｒの上方側面に設けられた差込口に差し込まれ、接続ケーブル１２０Ｒのケーブル部１２１Ｒは、筐体１１０Ｒの側面に設けられたガイド溝１１２Ｒに沿って巻き付けられ、本体側コネクタ１２２Ｒに設けられたフック部１２２ｆに嵌合されて固定される。
【００５８】
なお、比較例のポータブルハードディスク１００Ｒでは、先述したように、ガイド溝１１２Ｒに突起部１１２ａ，１１２ｂが設けられていないので、接続ケーブル１２０Ｒのケーブル部１２１Ｒを固定することができない。また、筐体１１０ＲにＰＣ側コネクタ固定部１１３が設けられていないので、接続ケーブル１２０ＲのＰＣ側コネクタ１２４Ｒを、筐体１１０Ｒに固定することもできない。
【００５９】
また、図７（ａ）に示したように、ポータブルハードディスク１００Ｒの利用時には、本体側コネクタ１２２Ｒのフック部１２２ｆから接続ケーブル１２０Ｒのケーブル部１２１Ｒが取り外され、接続ケーブル１２０Ｒのケーブル部１２１Ｒの長さ方向の全体が自在に動く状態で利用される。
【００６０】
Ｃ．実施例の効果：
上述した比較例のポータブルハードディスク１００Ｒと、実施例のポータブルハードディスク１００とを比較した場合、実施例のポータブルハードディスク１００では、主として、以下に示す効果を得ることができる。
【００６１】
Ｃ１．携帯時の利便性等：
比較例のポータブルハードディスク１００Ｒでは、ガイド溝１１２Ｒに突起部１１２ａや、突起部１１２ｂが設けられていないので、接続ケーブル１２０Ｒのケーブル部１２１Ｒを筐体１１０Ｒに固定することができず、ケーブル部１２１Ｒがガイド溝１１２Ｒから横ずれして外れやすい。これに対し、実施例のポータブルハードディスク１００では、ガイド溝１１２に突起部１１２ａや、突起部１１２ｂが設けられているので、接続ケーブル１２０のケーブル部１２１を、突起部１１２ａ，１１２ｂによって挟み込み、筐体１１０に固定することができ、ガイド溝１１２からのケーブル部１２１の横ずれを抑制することができる。
【００６２】
また、比較例のポータブルハードディスク１００Ｒでは、筐体１１０ＲにＰＣ側コネクタ固定部１１３が設けられていないので、接続ケーブル１２０ＲのＰＣ側コネクタ１２４Ｒを筐体１１０Ｒに固定することができない。このため、ポータブルハードディスク１００の携帯時の美観を損ねたり、ＰＣ側コネクタ１２４Ｒが他の物に衝突して携帯性を損ねたりする。これに対し、実施例のポータブルハードディスク１００では、筐体１１０にＰＣ側コネクタ固定部１１３が設けられているので、接続ケーブル１２０のＰＣ側コネクタ１２４を筐体１１０に固定することができる。したがって、ポータブルハードディスク１００の携帯時の美観や携帯性を向上させることができる。
【００６３】
Ｃ２．利用時の利便性：
比較例のポータブルハードディスク１００Ｒでは、ガイド溝１１２Ｒに突起部１１２ａや、突起部１１２ｂが設けられていないので、接続ケーブル１２０Ｒのケーブル部１２１Ｒを部分的に固定することができず、接続ケーブル１２０Ｒの実質的な長さを変更できない。これに対し、実施例のポータブルハードディスク１００では、ガイド溝１１２に突起部１１２ａや、突起部１１２ｂが設けられているので、接続ケーブル１２０のケーブル部１２１を、突起部１１２ａや、突起部１１２ｂによって挟み込み、筐体１１０に部分的に固定し、接続ケーブル１２０の実質的な長さを変更することができる。
【００６４】
Ｄ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００６５】
Ｄ１．変形例１：
上記実施例では、接続ケーブル１２０のＰＣ側コネクタ１２４に、鉤部１２４ｄｈを有する嵌合凸部１２４ｄを設けるものとしたが、本発明は、これに限られない。
【００６６】
図８は、変形例としてのＰＣ側コネクタ１２４Ａの斜視図である。図示するように、このＰＣ側コネクタ１２４Ａは、上記実施例におけるＰＣ側コネクタ１２４の嵌合凸部１２４ｄにおいて、鉤部１２４ｄｈを備えていない２つの嵌合凸部１２４Ａｄを備えている。この場合、ポータブルハードディスク１００の筐体１１０に、２つの嵌合凸部１２４Ａｄに対応する２つの嵌合凹部を設けるようにすればよい。
【００６７】
Ｄ２．変形例２：
上記実施例、および、変形例では、ＰＣ側コネクタ１２４，１２４Ａに設けられた嵌合凸部１２４ｄ，１２４Ａｄの数は、それぞれ２つであるものとしたが、本発明は、これに限られず、嵌合凸部の数は、任意に設定可能である。
【００６８】
Ｄ３．変形例３：
上記実施例、および、変形例では、ＰＣ側コネクタ１２４，１２４Ａに嵌合凸部１２４ｄ，１２４Ａｄを設け、ポータブルハードディスク１００の筐体１１０に嵌合凹部を設けるようにしたが、本発明は、これに限られない。ＰＣ側コネクタ１２４，１２４Ａに嵌合凹部を設け、ポータブルハードディスク１００の筐体１１０に嵌合凸部を設けるようにしてもよい。
【００６９】
Ｄ４．変形例４：
上記実施例では、コネクタ固定部として、ＰＣ側コネクタ１２４に設けられた嵌合凸部１２４ｄと、ポータブルハードディスク１００の筐体１１０に設けられた嵌合凹部１１３ｃとを用いるものとしたが、本発明は、これに限られない。本発明は、一般に、ＰＣ側コネクタ１２４を筐体１１０に着脱可能に固定可能であればよく、例えば、面ファスナを用いて固定するようにしてもよいし、磁石を用いて固定するようにしてもよいし、フック部材をループ部材に掛けて固定する機構を用いるようにしてもよい。
【００７０】
Ｄ５．変形例５：
上記実施例では、接続ケーブル１２０のケーブル部１２１を固定するためのケーブル固定部として、ガイド溝１１２に設けられた突起部１１２ａ，１１２ｂを用いるものとしたが、本発明は、これに限られない。本発明は、一般に、筐体１１０の表面に、接続ケーブル１２０の両端部を除く少なくとも一部を着脱可能に固定可能であればよい。
【００７１】
Ｄ６．変形例６：
上記実施例では、接続ケーブル１２０のケーブル部１２１を固定するためのケーブル固定部として、ガイド溝１１２に設けられた２つの突起部１１２ａ，１１２ｂを用いるものとしたが、本発明は、これに限られず、ケーブル部１２１の固定箇所の数は、１箇所、あるいは、３箇所以上であってもよい。ケーブル固定部の数を多くすれば、それに応じて、ポータブルハードディスク１００の利用時の、接続ケーブル１２０の実質的な長さを、より多段に変更することができる。また、ケーブル部１２１の全体を、部分的に着脱可能に固定可能としてもよい。こうすることによって、ポータブルハードディスク１００の利用時の、接続ケーブル１２０の実質的な長さを、連続的に変更することができる。
【００７２】
Ｄ７．変形例７：
上記実施例では、ポータブルハードディスク１００の筐体１１０の側面に、接続ケーブル１２０を固定するものとしたが、本発明は、これに限られない。筐体１１０のいずれかの表面に接続ケーブル１２０を固定可能とすればよい。
【００７３】
Ｄ８．変形例８：
上記実施例では、ポータブルハードディスク１００の筐体１１０の側面にガイド溝１１２を備えるものとしたが、これを省略してもよい。ただし、この場合、筐体１１０に固定された接続ケーブル１２０の横ずれを抑制するために、接続ケーブル１２０を筐体１１０に固定するためのケーブル固定部を多数設けるようにすることが好ましい。
【００７４】
Ｄ９．変形例９：
上記実施例では、ポータブルハードディスク１００の筐体１１０の形状を略直方体としたが、本発明は、これに限られず、任意に設定可能である。例えば、筐体１１０の形状を、略円筒形状や、略多角柱形状等、種々の形状としてもよい。
【００７５】
Ｄ１０．変形例１０：
上記実施例では、ポータブルハードディスク１００と、接続ケーブル１２０とは、別体であるもとしたが、ポータブルハードディスク１００と、接続ケーブル１２０とを一体としてもよい。つまり、接続ケーブル１２０の一方の端部が、ポータブルハードディスク１００の本体に直接接続されているようにしてもよい。
【００７６】
Ｄ１１．変形例１１：
上記実施例では、本発明をポータブルハードディスク１００に適用した場合について説明したが、本発明は、これに限られない。本発明は、一般に、携帯可能な電子機器に適用可能であり、例えば、ポータブルＣＤドライブや、ポータブルＤＶＤドライブや、ポータブルフレキシブルディスクドライブや、ポータブルスピーカや、携帯情報端末等、種々の電子機器に適用可能である。
【図面の簡単な説明】
【００７７】
【図１】本発明の電子機器を適用した一実施例としてのポータブルハードディスク１００の概略構成を示す説明図である。
【図２】接続ケーブル１２０の概略構成を示す説明図である。
【図３】ＰＣ側コネクタ固定部１１３の概略構成を示す説明図である。
【図４】ＰＣ側コネクタ１２４の筐体１１０（ＰＣ側コネクタ固定部１１３）への固定方法を示す説明図である。
【図５】ポータブルハードディスク１００の携帯時の接続ケーブル１２０の状態を示す説明図である。
【図６】ポータブルハードディスク１００の利用時の接続ケーブル１２０の状態を示す説明図である。
【図７】比較例としてのポータブルハードディスク１００Ｒの概略外観を示す説明図である。
【図８】変形例としてのＰＣ側コネクタ１２４Ａの斜視図である。
【符号の説明】
【００７８】
１００，１００Ｒ…ポータブルハードディスク
１１０，１１０Ｒ…筐体
１１１…差込口
１１２，１１２Ｒ…ガイド溝
１１２ａ，１１２ｂ…突起部
１１３…ＰＣ側コネクタ固定部
１１３ｃ…嵌合凹部
１１３ｅ…係合部
１２０，１２０Ｒ…接続ケーブル
１２１，１２１Ｒ…ケーブル部
１２２，１２２Ｒ…本体側コネクタ
１２２ｆ…フック部
１２４，１２４Ａ，１２４Ｒ…ＰＣ側コネクタ
１２４ｄ，１２４Ａｄ…嵌合凸部
１２４ｄｈ…鉤部
【図１】
2009021452.tif 000003
【図２】
2009021452.tif 000004
【図３】
2009021452.tif 000005
【図４】
2009021452.tif 000006
【図５】
2009021452.tif 000007
【図６】
2009021452.tif 000008
【図７】
2009021452.tif 000009
【図８】
2009021452.tif 000010